(57)【要約】      （修正有）【課題】ハードディスクドライブの記録空間の確保がより効率的になされる映像記録/再生装置を提供する。【解決手段】  光記録媒体に格納された映像データを内蔵された記録媒体に記録するための記録命令を入力するための入力部と；格納された映像データを符号化するビデオエンコーダーと；ビデオエンコーダーにより符号化された映像データを復号するビデオデコーダー；及び入力部を介して記録命令が入力されれば、光記録媒体に格納された映像データについてそれぞれ符号化及び復号が行われるようにビデオエンコーダー及び前記ビデオデコーダーを制御し、符号化することに当って適用された所定のＴＶ包装方式に基づいて映像データが復号されるようビデオデコーダーを制御し、復号された映像データが内蔵された記録媒体に記録されるように処理するメーン制御部と含む。【選択図】図２
2004215282.tif 000002
【特許請求の範囲】
【請求項１】
光記録媒体に格納された映像データを内蔵された記録媒体に記録するための記録命令を入力するための入力部と；
格納された前記映像データを符号化するビデオエンコーダーと；
前記ビデオエンコーダーにより符号化された前記映像データを復号するビデオデコーダーと；
前記入力部を介して記録命令が入力されれば、前記光記録媒体に格納された前記映像データについてそれぞれ符号化及び復号が行われるように前記ビデオエンコーダー及び前記ビデオデコーダーを制御し、前記符号化することに当って適用された所定のＴＶ放送方式に基づいて前記映像データが復号されるよう前記ビデオデコーダーを制御し、復号された前記映像データが前記内蔵された記録媒体に記録されるように処理するメーン制御部と含むことを特徴とする映像記録/再生装置。
【請求項２】
前記ビデオデコーダーは、所定の領域にＴＶ放送方式の設定値が記録されるレジスタとを含み、
前記メーン制御部は、前記符号化に当って適用された前記所定のＴＶ放送方式に基づいて前記ＴＶ放送方式の設定値をアップデートするよう制御し、前記ビデオデコーダーがアップデートされた前記ＴＶ放送方式の設定値に基づいて復号するように制御することを特徴とする請求項１に記載の映像記録/再生装置。
【請求項３】
光記録媒体に格納された映像データを内蔵された記録媒体に記録できる映像記録/再生装置の制御方法において、
前記光記録媒体に格納された前記映像データを所定のＴＶ放送方式に応じて符号化するステップと；
前記符号化ステップにて適用された前記所定のＴＶ放送方式を検出するステップと；
検出された前記所定のＴＶ放送方式に基づいて符号化された前記映像データを復号するステップと含むことを特徴とする映像記録/再生装置の制御方法。
【請求項４】
前記所定のＴＶ放送方式は、ＮＴＳＣ方式、ＰＡＬ方式、及びＳＥＣＯＭ方式のうちいずれか１つであることを特徴とする請求項３に記載の映像記録/再生装置の制御方法。
【発明の詳細な説明】
【技術分野】
【０００１】
本発明は、映像記録/再生装置及びその制御方法に関し、特に、内部に備えられた格納手段を効果的に利用できる映像記録/再生装置及びその制御方法に関する。
【背景技術】
【０００２】
放送信号を記録媒体に記録及び記録された放送信号を再生できる映像記録/再生装置は、放送信号のデジタル化及び圧縮技術の発展に伴ってその機能が拡大されつつある。
【０００３】
最近、出回っている映像記録/再生装置には、大容量の記憶装置であるハードディスクドライブ（ＨＤＤ）が採用される傾向である。ハードディスクドライブは、アドレスを用いて望むデータに接近する方式のランダムアクセス（Random  Access）が可能である。また、データの伝送速度が高速で大容量化が可能であるため映像/音響信号の記録装置として幅広く使用されている。
【０００４】
かかる映像記録/再生装置は、衛星放送信号、ケーブル放送、インターネットを介したネットワーク放送などの様々な映像/音響ソースの利用を支援するように開発されている。種々の映像/音響ソースからの映像/音響信号は、前述のようにハードディスクドライブのような格納手段に格納され、これらはポルダーのような下位構造に分割されて格納される。
【発明の開示】
【発明が解決しようとする課題】
【０００５】
本発明は前述した従来の問題を解決するために案出されたものでその目的は次の通りである。
【０００６】
本発明の第１の目的は、臨時記録領域に臨時記録された記録対象のデータをハードディスクドライブに記録する途中電源がオフモードになると、臨時記録された映像/音響信号をハードディスクドライブに記録した後、オフモードに転換する映像記録/再生装置及びその制御方法を提供することにある。
【０００７】
本発明の第２の目的は、視聴中の記録対象データを望む視点からハードディスクドライブに記録できる映像記録/再生装置及びその制御方法を提供することにある。
【０００８】
本発明の第３の目的は、ハードディスクドライブを複数のサイズを有するクラスターに区分し、ファイルの種類に応じて適したクラスターに記録できるように調節して効率的にデータ管理を行なう映像記録/再生装置及びその制御方法を提供することにある。
【０００９】
本発明の第４の目的は、ハードディスクドライブに映像/音響信号を記録す時、記録された映像/音響信号の編集時に必要な容量を残さずに記録して、記録された映像/音響信号の編集が不可能になるのを抑えることのできる映像記録/再生装置及びその制御方法を提供することにある。
【００１０】
本発明の第５の目的は、ハードディスクドライブの初期化遅延時にシステムのブーティングエラーが生じられるのを抑えることのできる映像記録/再生装置及びその制御方法を提供することにある。
【００１１】
本発明の第６の目的は、記録媒体に記録された映像/音響信号をハードディスクドライブに記録する時、再生時に検出されたＴＶ放送方式に合せて
映像/音響信号をハードディスクドライブに記録できる映像記録/再生装置及びその制御方法を提供することにある。
【００１２】
本発明の第７の目的は、映像記録/再生装置の使用時、ハードディスクドライブに必要以上に格納されたエラーファイルを自動に削除することができる映像記録/再生装置及びその制御方法を提供することにある。
【課題を解決するための手段】
【００１３】
前述した目的を達成するために本発明に係る映像記録/再生装置は、光記録媒体に格納された映像データを内蔵された記録媒体に記録するための記録命令を入力するための入力部と；格納された前記映像データを符号化するビデオエンコーダーと；前記ビデオエンコーダーにより符号化された前記映像データを復号するビデオデコーダーと；前記入力部を介して記録命令が入力されれば、前記光記録媒体に格納された前記映像データについてそれぞれ符号化及び復号が行われるように前記ビデオエンコーダー及び前記ビデオデコーダーを制御し、前記符号化することに当って適用された所定のＴＶ放送方式に基づいて前記映像データが復号されるよう前記ビデオデコーダーを制御し、復号された前記映像データが前記内蔵された記録媒体に記録されるように処理するメーン制御部と含む。
【００１４】
そして、前記ビデオデコーダーは、所定の領域にＴＶ放送方式の設定値が記録されるレジスタ；を含み、前記メーン制御部は、前記符号化することに当って適用された前記所定のＴＶ放送方式に基づいて前記ＴＶ放送方式の設定値をアップデートするよう制御し、前記ビデオデコーダーがアップデートされた前記ＴＶ放送方式の設定値に基づいて復号するように制御できる。
【００１５】
尚、前述した目的を達成するための本発明に係る光記録媒体に格納された映像データを内蔵された記録媒体に記録できる映像記録/再生装置の制御方法は、前記光記録媒体に格納された前記映像データを所定のＴＶ放送方式に応じて符号化するステップと；前記符号化ステップにて適用された前記所定のＴＶ放送方式を検出するステップと；検出された前記所定のＴＶ放送方式に基づいて符号化された前記映像データを復号するステップと含む。
【００１６】
そして、前記所定のＴＶ放送方式は、ＮＴＳＣ方式、ＰＡＬ方式、及びＳＥＣＯＭ方式のうちいずれか１つである。
【発明の効果】
【００１７】
本発明によれば、予約録画またはリアルタイム録画を行なうために記録対象データをハードディスクドライブ内の臨時記録領域に臨時的に記録した後、ハードディスクドライブ内の実際領域である長期記録領域で記録することに当って、電源オフモードへの転換が起ると、臨時記録領域に臨時記録された記録対象のデータを長期記録領域に記録するフラッシュー機能を行なうことが可能である。これにより、電源オフモードの方に転換されても臨時記録領域に臨時記録された記録対象データが失われることを抑える。
【００１８】
本発明によれば、放送信号の受信できる映像記録/再生装置にて、視聴中の映像/音響信号を望む時点から格納することができ、放送信号を格納する際に臨時記録領域に格納されていた映像/音響データを格納されている位置にそのまま格納することにより、臨時記録領域に格納されたファイルを長期記録領域に移動及びコピーしなくて済む。よって、ハードディスクドライブのような記録装置に対する管理及び制御が容易になる長所を有する。
【００１９】
本発明によれば、ハードディスクドライブを複数のサイズを有するクラスターに区分し、ファイルの種類に応じて適したクラスターを選択して記録できるようにし、より効果的なデータ管理が可能となる。
【００２０】
本発明によれば、大容量ハードディスクドライブにプログラムを記録する際、プログラム編集のための容量を隠しバッファ（hidden  buffer）で設定し、プログラム編集のための領域を除いた残りの領域に映像/音響信号を格納することによって、編集時に必要なハードディスクドライブの容量が不足して記録された映像/音響信号の編集が不可能になるのを抑えることができる。
【００２１】
本発明によれば、システムの初期化時にハードディスクドライブのセルフ初期化が遅延されると、自動的にシステムがリセットされることによりシステムのブーティングエラーを抑えることができる。
【００２２】
本発明によれば、自動に映像/音響信号のＴＶ放送方式が検出され適用されるので映像/音響信号のＴＶ放送方式が異なる場合に生じるノイズまたは歪曲された信号を抑えることができるのでシステムの安定が図れる。
【００２３】
本発明によれば、映像記録/再生装置のハードディスクドライブに記録されたエラーファイルを自動に削除され、よってハードディスクドライブの記録空間の確保がより効率的になされる。
【発明を実施するための最良の形態】
【００２４】
以下、本発明の良好な実施形態を添付された図面を参照して詳説する。
【００２５】
図１は、本発明の好ましい実施形態に係る映像記録/再生装置２００が適用されたシステムを概略的に示す図である。同図を参照すると、映像記録/再生装置２００は、ディスプレイ装置であるＴＶ１００と伝送ケーブル１５０とにより接続されている。
【００２６】
映像記録/再生装置２００は遠隔制御器３００のような外部入力装置から受信された信号を処理し、表示情報をＴＶ１００に伝送する。なお、外部入力装置は、赤外線のような無線信号の送出する遠隔制御器３００のみならず有線方式のキーボードのような入力装置にも適用され得る。以下では外部入力装置を遠隔制御器３００に限定して詳説する。
【００２７】
映像記録/再生装置２００はケーブル放送、衛星放送、ローカルケーブル（Local  Cable）、デジタル放送（ＤＢＳ）インターネット、カムコーダ、ディスクプレーヤー、セットトップボックスのような映像ソース源の少なくとも１つから映像/音響信号が受信されるように構築される。
【００２８】
図２は、図１に図示された映像記録/再生装置の一実施形態を概略的に図示したブロック図である。
【００２９】
映像記録/再生装置２００の例としては、ＶＣＲ、ＤＶＤＰ、ＰＶＲ、ＶＣＲ/ＤＶＤＰコンビネーションシステム、ハードディスクドライブ/ＤＶＤＰコンビネーションシステムなどがあり、本発明ではハードディスクドライブ/ＤＶＤＰコンビネーションシステムを一実施形態に挙げて詳説する。ハードディスクドライブ/ＤＶＤＰコンビネーションシステムは、ハードディスクドライブとＤＶＤＰとが１つに組合され映像/音響信号からなされた動画ファイル、停止画ファイル、音響ファイルだけでなく、テキストファイルなどの種々なデータを記録及び再生できる機能を備える。
【００３０】
図２を参照すると、映像記録/再生装置２００は入出力端子部２１０、チューナー２２１、スイッチング部２２３、入出力制御部２２５、ＭＰＥＧエンコーダー２４１、ハードディスクドライブ２５０、記録媒体ローディング部２５７、及びメーン制御部２７０を備える。
【００３１】
入出力端子部２１０は、種々のビデオ信号ソースから生成された信号を受信し、受信された信号または大容量記録媒体として適用されたハードディスクドライブ２５０から再生された信号を出力する。
【００３２】
入出力端子部２１０は、スーパービデオ入力端子（Ｓ＿Ｖ  ＩＮ）２１１及びスーパービデオ出力端子（Ｓ＿Ｖ  ＯＵＴ）２１２、ＲＦ入力端子（ＲＦ  ＩＮ）２１３、及びＲＦ出力端子（ＲＦ  ＯＵＴ）２１４、ラインビデオ/オーディオ入力端子（ＬＩＮＥ  Ｖ＿ＩＮ、ＬＩＮＥ  Ａ＿ＩＮ）２１５、及びラインビデオ/オーディオ出力端子（ＬＩＮＥ  Ｖ＿ＯＵＴ、ＬＩＮＥ  Ａ＿ＯＵＴ）２１６、デジタルオーディオ出力端子（ＳＰＤＩＦ：Serial  Parallel  Digital  Interface）２１７が備えられる。
【００３３】
スーパービデオ入力端子２１１は、デジタル状の互いに分離された輝度信号（Ｙ）と色差信号（Ｃｒ、Ｃｂ）を受信する端子であって、デジタルカムコーダ、ＤＶＤＰ、セットトップボックスなどと連結されて用いられる。スーパービデオ出力端子２１２は、デジタル状の互いに分離された輝度信号（Ｙ）と色差信号（Ｃｒ、Ｃｂ）をＴＶ１００に送信する端子である。
【００３４】
ＲＦ入力端子２１３は、地上波放送信号を受信する端子であって、通常、アンテナと接続される。ＲＦ出力端子２１４は、後述するチューナー２２１により選局された放送信号を外部へ送信する端子で通常、ＴＶ１００と接続される。
【００３５】
ラインビデオ/オーディオ入力端子２１５は、輝度信号（Ｙ）と色差信号（Ｃｒ、Ｃｂ）が混じっているアナログ状の信号を受信する端子であって、アナログビデオ信号の出力を支援するカムコーダ、ＤＶＤＰ、セットトップボックスなどと連結されて用いられる。ラインビデオ/オーディオ出力端子２１６は、輝度信号（Ｙ）と色差信号（Ｃｒ、Ｃｂ）が混じっているアナログ状の信号を送信する端子であって、アナログビデオ信号のディスプレイを支援するＴＶ１００と接続される。
【００３６】
デジタルオーディオ出力端子２１７は、メーン制御部２７０から伝送されるデジタルオーディオ信号を外部に出力する端子である。
【００３７】
チューナー２２１は、メーン制御部２７０により制御される入出力制御部２２５から要請するチャンネルの放送信号がＲＦ入力端子２１３を介して受信されるようにする。
【００３８】
スイッチング部２２３は、入出力制御部２２５から制御され、スイッチング部２２３に接続された入出力端子を相互間について選択的に連結されるようにする。
【００３９】
入出力制御部２２５は、メーン制御部２７０から制御されチューナー２２１とスイッチング部２２３を制御する。
【００４０】
ビデオデコーダー２３１は、メーン制御部２７０から制御され、スーパービデオ入力端子２１１またはスイッチング部２２３を介して受信された信号を復号して出力する。
【００４１】
オーディオＡ/Ｄ変換部２３３は、スイッチング部２２３を介して入力されるアナログ状のオーディオ信号をデジタル信号に変換してデータ管理部２５９に出力する。
【００４２】
オーディオＡ/Ｄ変換部２３５は、オーディオＡ/Ｄ変換部２３３から出力されるデジタルオーディオ信号をアナログオーディオ信号に変換してスイッチング部２３３に出力する。
【００４３】
ビデオエンコーダー２３７は、ビデオデコーダー２３１またはＭＰＥＧデコーダー２７３から出力されるビデオ信号を符号化してスイッチン部２２３に出力する。
【００４４】
ＭＰＥＧエンコーダー２４１は、メーン制御部２７０から制御され、ビデオデコーダー２３１から出力されるビデオ信号を設定された圧縮フォーマット方式により符号化し、符号化されたビデオ信号はメーン制御部２７０の制御によりハードディスクドライブ２５０またはＭＰＥＧデコーダー２７３に提供する。好ましくは、ＭＰＥＧエンコーダー２４１はＭＰＥＧ―２圧縮方式によりビデオ信号を符号化する。
【００４５】
第１のＳＤＲＡＭ２４３は、ＭＰＥＧエンコーダー２４１にて符号化されたビデオ信号が臨時記録される所定のバッファである。
【００４６】
さらに、映像記録/再生装置は、システムが誤作動するのを判別する誤動作検出部２４５を備える。誤作動検出部２４５は、ハードディスクドライブ２５０により動画データがデータ記録領域に記録される間、ハードディスクドライブ２５０の記録動作に対してエラーが発生したかを判別してその結果をメーン制御部２７０に伝送する。
【００４７】
ハードディスクドライブ２５０は、ＭＰＥＧエンコーダー２４１により符号化されたＧＯＰ（Group  of  Picture）ビデオ信号及び/またはオーディオＡ/Ｄ変換部２２３から出力されたオーディオ信号からなされる動画ファイル、停止画ファイル、音楽ファイル、放送信号に対するファイル、記録媒体ローディング部２５７に装着された光記録媒体から提供されるファイル、またはテキストファイルなどの多様な記録対象データが記録される大容量記憶装置である。
【００４８】
一般に、ハードディスクドライブ２５０は、記録対象データを少なくとも２つのセクターからなる記録単位のクラスター単位で記録される。よって、データ記録時にはデータは未記録されたクラスターのドレスを用いてデータを直接記録し、記録されたデータの検索時にはクラスターのアドレスを用いてクラスターに記録されたデータに直接接近する方式のランダムアクセス（Random  Access）が可能である。さらに、ハードディスクドライブ２５０では、データ伝送速度が高速であり、大容量記録が可能であるため映像/音響信号の記録媒体として有効に使用される。
【００４９】
記録媒体ローディング部２５７は、映像記録/再生装置２００に内蔵されている。記録媒体ローディング部２５７は、メーン制御部２７０により制御され外部から入力される記録対象データを光ディスク記録媒体に記録及び/または光記録媒体に記録された映像/音響信号をローディングして再生対象データに再生動作を行なう。記録媒体ローディング部２５７にはＤＶＤＰが適用され得るし、光記録媒体にはＤＶＤ、オーディオ及び/またはビデオＣＤなどがある。
【００５０】
データ管理部２５９は、メーン制御部２７０により制御されハードディスクドライブ２５０に記録されたデータ、記録媒体ローディング部２５７に挿入された光記録媒体に記録されたデータの移動経路を提供する。つまり、データ管理部２５９は、ハードディスクドライブ２５０に記録されたデータを記録媒体ローディング部２５７に装着された光記録媒体に提供したり、光記録媒体に記録されたデータをハードディスクドライブ２５０に提供したり、あるいはＭＰＥＧエンコーダー２４１にて符号化されたデータをハードディスクドライブ２５０に記録するとき移動経路を提供する。
データ管理部２５９は、ハードディスクドライブ２５０及び/または記録媒体ローディング部２５７に記録されたデータの再生及び記録対する管理を行なう。つまり、データ管理部２５９は記録媒体ローディング部２５７に記録されたデータのハードディスクドライブ２５０への格納、またはハードディスクドライブ２５０に記録されたデータの記録媒体ローディング部２５７への格納、及びＭＰＥＧエンコーダー２４１にて符号化されたデータのハードディスクドライブ２５０への格納をメーン制御部２７０から制御され管理する。
【００５１】
キー入力部２６０は、映像記録/再生装置２００から支援する機能を設定または操作するための信号を後述するメーン制御部２７０に出力する多数の数字キー、方向キー、機能キーからなり、映像記録/再生装置２００の本体に設けられる。
【００５２】
キー入力部２６０には、記録キー２６０ａ及び電源オフキー２６０ｂが備えられる。記録キー２６０ａは、記録対象データがハードディスクドライブ２５０に記録されるように記録要請命令を入力するための機能キーであり、電源オフキー２６０ｂは、映像記録/再生装置２００の電源オフ命令を入力するための機能キーである。記録キー２６０ａ及び/または電源オフキー２６０ｂはキー入力部２６０のみならず、遠隔制御器３００にも備えられることが好ましい。
【００５３】
メーン制御部２７０は、中央処理装置（ＣＰＵ）２７１とＭＰＥＧ方式で圧縮された信号を復号するＭＰＥＧデコーダー２７３が複合しており、単一のチップ状のＩＣになっている。ＭＰＥＧデコーダー２７３は別のチップに分離されメーン制御部２７０と接続されることは勿論である。
【００５４】
さらに、メーン制御部２７０はエラー判断部２７５を備える。エラー判断部２７５はハードディスクドライブ２５０に記録されたプログラムファイルのうちエラーファイルを判断する。メーン制御部２７０は、エラー判断部２７５から判断されたエラーファイルを削除するようにハードディスクドライブ２５０を制御する。
【００５５】
第２のＳＤＲＡＭ２７６は、ＭＰＥＧデコーダー２７３により復号された信号が臨時記録される所定のバッファである。
【００５６】
フラッシューメモリ（Flash  Memory）２７７には、メーン制御部２７０の機能実行と関連した種々のプログラムが記録されている。
【００５７】
かかる映像記録/再生装置２００でメーン制御部２７０は、キー入力部２６０から受信された信号または遠隔制御器３００から受光部２６５を介して受信されたユーザ操作信号に応じる種々の機能をフラッシューメモリ２７７に搭載された運営プログラムをローディングして支援/処理し、上述の各要素を制御する。
【００５８】
さらに、フラッシューメモリ２７７にはメニュー案内処理部２７７ａが備えられる。メニュー案内処理部２７７ａには後述するメニュー案内リスト画面のようなＧＵＩ画面処理を行なうためのプログラムが格納されている。ＧＵＩ画面は映像記録/再生装置２００の機能選択時にユーザの便宜性を図るため提供されるグラフィック画面である。ＧＵＩ画面は、ＴＶ１００と接続された出力端子、例えば、ラインビデオ/オーディオ出力端子２１６を介して提供される。
【００５９】
受光部２８０は、外部入力装置である遠隔制御器３００から送出されたユーザ操作信号を受信してメーン制御部２７０に出力するインタフェースである。
【００６０】
さらに、映像記録/再生装置２００は、電源制御部２９１及び電源供給部２９３を備える。電源制御部２９１は、メーン制御部２７０から映像記録/再生装置２００を再開始させるリセット命令が入力されれば、電源供給部２９３を制御して電源供給部２９３の電源供給動作を遮断した後再び供給する。電源供給部２９３は、記録媒体ローディング部２５７、ハードディスクドライブ２５０、及び映像記録/再生装置２００の各部の動作に必要な電源を、入力された電源から設定されたレベルに変換してそれぞれ供給する。
【００６１】
図３は、図２に図示されたハードディスクドライブの論理的な構造を概略的に図示した図であり、図４は図２に図示されたハードディスクドライブのクラスターの配置を図示した図である。
【００６２】
図３を参照すると、ハードディスクドライブ２５０は、ブート記録領域２５０ａ、ＦＡＴ領域２５０ｂ、データ記録領域２５０ｃ、及びルートディレクトリー領域２５０ｄを含む。
【００６３】
ブート（Boot）記録領域２５０ａは、記録領域分割（Drive  partition）に対する情報など、ハードディスクドライブ２５０の物理的構造についての情報が記録される領域である。
【００６４】
ＦＡＴ（File  Allocation  Table）領域２５０ｂは、記録対象データがデータ記録領域２５０ｃのいずれのクラスターに配しているかに対する状態情報が記録される領域である。もし、容量の大きいファイルをハードディスクドライブ２５０に記録する場合、複数のクラスターに分割され記録される。但し、１つのファイルが複数のクラスターに分割されるとしても、クラスターがいつも連続的に位置しているのではなく、ハードディスクドライブ２５０に不連続的に分散して位置することも可能である。かかる場合、１つのファイルに関連した複数のクラスターの位置情報はハードディスクドライブ２５０のファイル配置表（ＦＡＴ）によって管理される。つまり、ＦＡＴ領域２５０ｂには、後述するデータ記録領域２５０ｃの複数のクラスターのうちファイルが記録された少なくとも１つのクラスターに対する位置情報が記録される。この際、所定のファイルが複数のクラスターに分割されて記録されると、所定のファイルが記録された複数のクラスターに対するアドレスはＦＡＴ領域２５０ｂに連携されて記録され、また各クラスターに所定のデータが記録または削除される度にＦＡＴ領域２５０ｂに記録された情報は更新される。
【００６５】
データ記録領域２５０ｃは、記録対象データが実質的に記録される領域であって、長期記録領域（Ａ）と未記録領域（Ｂ）とに区分される。
【００６６】
長期記録領域（Ａ）は、ユーザからの録画命令に応じて記録対象データ（例えば、映像/音響信号）をファイル化して長時間記録する非揮発性記録領域である。長期記録される記録対象データのファイルはユーザの好みによって編集できる。
【００６７】
未記録領域（Ｂ）は、いずれのデータも記録されない領域であり、時間遅延の視聴機能のために臨時記録領域（Ｂ１）が適応的に割当てられ、臨時記録領域（Ｂ１）を除いた残りの領域は空き記録領域（Ｂ２）として残存する。
【００６８】
これを詳説すると、臨時記録領域（Ｂ１）は、時間遅延視聴機能のために現視聴中のプログラムを臨時記録するための揮発性記録領域であって、外部から受信されるプログラムを先入先出（first  In  first  Out：ＦＩＦＯ）方式により臨時記録され得る領域である。
【００６９】
さらに、臨時記録領域（Ｂ１）に臨時記録されたプログラムに対して長期記録命令が印加されれば、該プログラムは長期記録領域（Ａ）のうちデータの記録されていない領域に長期記録される。
【００７０】
ルートディレクトリー領域２５０ｄは、データ領域２５０ｃに長期記録及び臨時記録された記録対象データの属性情報及び位置情報などが記録される領域であって、記録対象データの属性情報及び位置情報が記録された複数の記録クラスターと、属性情報及び位置情報が記録されていない複数の未記録クラスターとに区分付けられる。メーン制御部２７０によって生成されるファイルの属性情報は、記録対象データのファイル名、ファイル容量、記録された日付/時間、画質情報、音質情報などを含み、位置情報は、記録対象データの記録開始アドレス及び記録終了アドレスを含む。尚、ファイルに対する記録、削除のような編集動作が行われる度にＦＡＴ領域２５０ｂの状態情報及びルートディレクトリー領域２５０ｄの属性情報と位置情報は更新される。
【００７１】
ルートディレクトリー領域２５０ｄは、所定の記録対象データの生成時にメーン制御部２７０によって生成される「*.map」ファイルによりタイムマップ（Time  Map：ＴＡＭＰ）構造を有する。タイムマップによって記録対象データはそれに応じるＦＡＴ領域２５０ｂに記録された位置情報及び属性情報領域に記録された属性情報と連携される。
【００７２】
図５は図１に図示された遠隔制御器を示す平面図である。後述するメニュー案内リスト画面の操作に対して図５を参照して詳説すると、メニューキー３１１は、メニュー案内リスト画面のローディングを指示するとき用いられる。上、下、左、右の方向キー（３１３、３１５、３１７、３１９）はメニュー案内リスト画面にリストされた多数のメニューに対するカーソルの移動を指示するとき用いられる。エンターキー３２１はメニューを選択する時に用いられ、リターンキー２３２は現画面から前画面に戻るときに用いられる。格納キー（ＲＥＣ）は動画ファイルなどを格納するために使用される。
【００７３】
その他のキーは、映像記録/再生装置２００及びＴＶ１００などを操作するために知られた操作キー及び特定キーであって、当該キーと隣接して表示された文字を介してキーの機能を容易く理解することができ、各キーの機能に対する詳説を省略しても本発明が理解されるには何の支障もないため詳細な説明は除く。
【実施例１】
【００７４】
本発明に係る第１の目的を具現するために、以下では所定の映像/音響信号をハードディスクドライブに記録中、電源オフモードへの転換命令が入力された場合、臨時格納された映像/音響信号に対してフラッシュー機能を行なう映像記録/再生装置及びその制御方法につき添付された図１ないし図６を参照して詳説する。尚、フラッシュー機能は、ハードハードディスクドライブ内で臨時記録領域のような揮発性領域に記録されたデータを強制的に長期記録領域のような非揮発性領域に記録させる機能を果たす。
【００７５】
図２及び図３を参照すると、キー入力部２６０の記録キー２６０ａから記録要請命令が入力されれば、データ管理部２５９は、メーン制御部２７０からの制御によってＦＡＴ領域２５０ｂに記録されたデータ記録領域２５０ｃの各クラスターに対する情報（例えば、クラスターの位置情報、クラスターにデータが記録されているか否かなど）を読み出して臨時記録領域（Ｂ１）に臨時記録されるようにする。
【００７６】
そして、データ管理部２５９は、ＦＡＴ領域２５０ｂから読み出した各クラスターに対する情報に基づいて臨時記録領域（Ｂ１）に臨時記録された記録対象データはデータ記録領域２５０ｃのうち多数の未記録クラスターに、属性情報はルートディレクトリー領域２５０ｄのうち多数の未記録クラスターに所定のサイズに分割されて長期記録されるようにする。更新されたクラスター情報はＦＡＴ領域２５０ｂに記録されるように臨時記録領域（Ｂ１）及び長期記録領域（Ａ）を制御する。
【００７７】
図６は図２に図示された映像記録/再生装置の制御方法を説明するためのフローチャートである。
【００７８】
図２、図３及び図６を参照すると、キー入力部２６０の記録キー２６０ａが選択され所定の記録対象データに対して記録要請命令が入力されれば、メーン制御部２７０は記録対象データに対する属性情報を生成し、生成された属性情報及び記録対象データがデータ管理部２５９を介してハードディスクドライブ２５０に提供されるように処理する（Ｓ１１１０）。以下、記録対象データとしてＭＰＥＧエンコーダー２４１によって符号化されたビデオ信号とオーディオＡ/Ｄ変換部２３３によって変換されたオーディオ信号につき例を挙げて説明する。
【００７９】
ステップ１１１０によって映像/音響信号及び映像/音響信号の属性情報（以下、属性情報とする）がハードディスクドライブ２５０に提供されれば、データ管理部２５９は映像/音響信号及び属性情報が臨時記録領域（Ｂ１）に臨時記録されるようにする（Ｓ１１２０）。さらに、ステップ１１２０にてデータ管理部２５９は、長期記録領域（Ａ）のＦＡＴ領域２５３ｂから長期記録領域（Ａ）の各クラスターに対する情報（例えば、クラスターの位置情報、クラスターにデータが記録されているか否かなど）を読み出して臨時記録領域（Ｂ１）に臨時記録されるように処理する。
【００８０】
そして、データ管理部２５９は、ＦＡＴ領域２５０ｂから読み出した各クラスターに対する情報に基づいてデータが記録されていない未記録クラスターに対する位置情報を把握した後、映像/音響信号はデータ記録領域２５０ｃのうち多数の未記録クラスターに、属性情報はルートディレクトリー領域２５０ｄのうち多数の未記録クラスターに所定のサイズに分割されて長期記録されるように処理する（Ｓ１１３０）。ステップ１１３０が行われると
ＦＡＴ領域２５０ｂに記録された情報は更新される。
【００８１】
ステップ１１３０の後、電源オフキー２６０ｂから電源オフ命令が入力されれば、メーン制御部２７０はデータ管理部２５９へ電源オフ命令が入力されたことを通知する（Ｓ１１４０）。すると、データ管理部２５９は臨時記録領域（Ｂ１）に映像/音響信号、属性情報及び各クラスター情報が臨時記録されているかを判断する（Ｓ１１５０）。
【００８２】
ステップ１１５０にて、映像/音響信号、属性情報及び各クラスター情報が臨時記録されていると判断されれば、データ管理部２５９は臨時記録領域（Ｂ１）に臨時記録された映像/音響信号、属性情報及び各クラスター情報に対してフラッシュー機能を行なうようにする（Ｓ１１６０）。即ち、データ管理部２５９はデータが記録されていない未記録クラスターに対する位置情報を把握して映像/音響信号はデータ記録領域２５０ｃのうち多数の未記録クラスターに、属性情報はルートディレクトリー領域２５０ｄのうち多数の未記録クラスターに、各クラスター情報はＦＡＴ領域２５０ｂに強制的長期記録されるように流入処理する。
【００８３】
ステップ１１６０が行われると、メーン制御部２７０は映像記録/再生装置の電源をオフする（Ｓ１１７０）。
【００８４】
これによって、映像/音響信号を記録する途中に電源オフモードへの転換命令が入力されても電源がオフされる前にフラッシュー機能が行われてハードディスクドライブ２５０の臨時記録領域（Ｂ１）に臨時記録された映像/音響信号、属性情報、及び更新されたクラスター情報は失われることなく長期記録領域（Ａ）に長期記録される。
【００８５】
一方、ステップ１１５０にて、臨時記録領域（Ｂ１）に映像/音響信号、属性情報、及び各クラスター情報が臨時記録されていないと判断されれば、データ管理部２５９から通知された判断信号によってメーン制御部２７０は記録/再生装置の電源をオフする（Ｓ１１７０）。
【実施例２】
【００８６】
本発明に係る第２の目的を具現するために、以下では視聴中の映像/音響信号を望む時点から格納できる映像記録/再生装置及びその制御方法につき図１、図２、図７ないし図１０を参照して詳説する。
【００８７】
本実施形態によれば、遠隔制御器３００は、映像記録/再生装置２００を遠隔制御し、臨時記録領域（Ｂ１）に格納された映像/音響信号を格納しようとする場合、遠隔制御器３００に備えられる臨時領域転換キー（図示せず）を押してハードディスクドライブ２５０に臨時格納された映像/音響信号をＴＶ１００に再生し、画面に再生された映像データの再生方向を方向キー３１３、３１５、３１７、３１９で上、下、左、右探索した後、レコードキー３２５を押して臨時記録領域（Ｂ１）に格納された映像/音響信号を長期記録領域（Ａ）に設定する。
【００８８】
さらに、メーン制御部２７０は、受光部２８０を介して遠隔制御器３００に備えられる臨時領域転換キー（図示せず）による制御信号の発生を認知したとき、ビデオデコーダー２３１及びオーディオＡ/Ｄ変換部２３３から印加される映像/音響信号の代わりにハードディスクドライブ２５０に臨時格納中の映像/音響信号をビデオエンコーダー２３７及びオーディオＤ/Ａ変換部２３５に印加する。この時、ビデオデコーダー２３１及びオーディオＡ/Ｄ変換部２３３から出力される映像/音響信号はハードディスクドライブ２５０の臨時記録領域（Ｂ１）に続いて格納される。
【００８９】
受光部２８０は、遠隔制御器３００から送出されるレコードキー３２５、臨時領域転換キー（図示せず）、方向キー３１３、３１５、３１７、３１９によって発生される遠隔制御信号を受信し、これをメーン制御部２７０に印加する。尚、臨時領域転換キー（図示せず）はハードディスクドライブ２５０に臨時格納された映像/音響信号をＴＶ１００に再生するための制御信号を発生させるキーであり、方向キー３１３、３１５、３１７、３１９は臨時領域転換キー（図示せず）が押された後、ＴＶ１００に再生される映像/音響信号の再生位置を変更するための制御信号を発生させるキーであり、レコードキー３２５は方向キー３１３、３１５、３１７、３１９によって選択された再生位置でハードディスクドライブ２５０の臨時記録領域（Ｂ１）に格納された映像/音響信号を永久格納するための制御信号を発生させるキーである。
【００９０】
ハードディスクドライブ２５０は、ＭＰＥＧエンコーダー２４１によってＭＰＥＧフォーマットに変換された放送信号を所定時間（例えば１時間程度）の間ＦＩＦＯ方式で臨時格納する臨時記録領域（Ｂ１）及び遠隔制御器３００から発生されるレコードキー３２５によってＭＰＥＧフォーマットの放送信号を格納するための長期記録領域（Ａ）を有する。尚、前述された臨時記録領域（Ｂ１）と長期記録領域（Ａ）は固定の領域ではなく、臨時記録領域（Ｂ１）に臨時格納中である映像/音響信号が遠隔制御器３００のレコードキー３２５によってファイルとして永久に格納する時、格納された領域が有する容量の分をデータ管理部２５９により再び割当てられる。尚、再び割当てられる領域は、ハードディスクドライブ２５０を論理的に直接分割せず、データ管理部２５９からメーン制御部２７０に出力される領域情報によって設定され、領域情報に基づいたメーン制御部２７０が臨時データを記録する時、データ管理部２５９から出力される領域情報に応じて臨時データを記録する位置を相違にする。
【００９１】
図７は、図２に図示したデータ管理部２５９に対する詳細ブロック図である。
【００９２】
図示されたデータ管理部２５９は、ＦＡＴ情報読み出し部２５９―１、設定値格納部２５９―２、及び領域設定部２５９―３を含む。
【００９３】
ＦＡＴ情報読み出し部２５９―１は、ハードディスクドライブ２５０のＦＡＴから格納されたファイルの位置情報、つまりアドレス情報を読み出す。読み出されたアドレス情報によってハードディスクドライブ２５０の臨時記録領域（Ｂ１）及び長期記録領域（Ａ）の情報が得られる。このとき、ＦＡＴ情報読み出し部２５９―１はハードディスクドライブ２５０のＦＡＴが更新される度にこれを読み出す。
【００９４】
設定値格納部２５９―２は、ハードディスクドライブ２５０に割当てられた各領域、つまり、臨時記録領域（Ｂ１）と長期記録領域（Ａ）に対する領域のサイズ情報を有する。例えば、ハードディスクドライブ２５０が４０Gバイトの容量を有し、臨時記録領域（Ｂ１）と長期記録領域（Ａ）にはそれぞれ１０Gバイト、２０Gバイトの容量を有しているとすると、各格納領域（Ｂ１、Ａ）に対して１０Gバイトと２０Gバイトというサイズの情報を有することになる。この時、設定値格納部２５９―２に格納されたサイズ情報は遠隔制御器３００によってＴＶ１００に具現可能なＯＳＤ（On  Screen  Display）メニューにより再設定可能にすることが好ましい。
【００９５】
領域設定部２５９―３は、ＦＡＴ情報読み出し部２５９―１と設定値格納部２５９―２からそれぞれ印加されるＦＡＴ情報と領域に対するサイズ情報に基づいてハードディスクドライブ２５０の臨時記録領域（Ｂ１）と長期記録領域（Ａ）に対するアドレスを再設定し、これをメーン制御部２７０に印加する。メーン制御部２７０は、領域設定部２５９―３から印加されるアドレス情報を参照して臨時ファイルとファイルが格納される位置を認知する。よって、臨時記録領域（Ｂ１）に格納されていた臨時ファイルがファイルとして永久格納されても臨時記録領域（Ｂ１）の格納スペースは減少されない。
【００９６】
図８は、図２に図示されたハードディスクドライブ２５０のファイル配置構造及び臨時ファイルの格納方法を説明するためのブロック概念図である。
【００９７】
ハードディスクドライブ２５０は、信号源（図示せず）から印加される映像/音響信号を格納するための長期記録領域（Ａ）及び臨時記録領域（Ｂ１）を備える。信号源が放送信号である場合、放送を視聴する時間から所定の時間（例えば１時間程度）の間に視聴者から別の命令がなくてもこれをバッファリングする臨時記録領域（Ｂ１）を備える。この際にハードディスクドライブ２５０はＦＩＦＯ方式に応じて臨時記録領域（Ｂ１）に１時間ほどの映像/音響信号が記録され、臨時記録領域（Ｂ１）が充足になると、真先に格納された映像/音響信号を削除しその上に新たな映像/音響信号を記録する。
【００９８】
図示されたように、ハードディスクドライブ２５０は、ブーティングするためのブート記録領域、ハードディスクドライブ２５０に格納されるファイルの位置、つまりファイルのアドレス情報を記録するＦＡＴ領域、ＭＰＥＧフォーマットで符号化された放送信号のうち放送信号を所定の時間単位で臨時格納する臨時記録領域（Ｂ１）、ＭＥＰＧフォーマットで符号化された放送信号、記録媒体ローディング部２５７から読み出された映像/音響信号を永久格納するための長期記録領域（Ａ）を含む。このうち臨時記録領域（Ｂ１）と長期記録領域（Ａ）は、ＦＩＦＯに応じて先に格納されたデータが先に削除される形態のデータ格納方式を取る。即ち、（１）〜（９）までの順番で臨時記録領域（Ｂ１）にデータが格納され、格納されたデータ（１）〜（９）により臨時記録領域（Ｂ１）が充足すると、ハードディスクドライブ２５０に新たなデータを印加するとき、一番先に格納された（１）、（２）の順番に削除され、その位置に新たなデータが格納される。
【００９９】
図９Ａと図９Ｂは、データ管理部２５９によって臨時記録領域（Ｂ１）及び長期記録領域（Ａ）が再設定される過程を説明するためのブロック図である。まず、図９Ａは、ＴＶ１００に再生中の放送信号に応じてハードディスクドライブ２５０の臨時記録領域（Ｂ１）に格納される映像/音響信号の格納領域を示す。尚、参照符号Ｃは臨時記録領域（Ｂ１）に格納されている臨時ファイルを示す。
【０１００】
図９Ｂは、図９ＡのＣ領域が遠隔制御器３００に備えられるレコードキー３２５に応答したメーン制御部２７０からの制御によってハードディスクドライブ２５０に永久ファイルとして格納される際、ハードディスクドライブ２５０の臨時記録領域（Ｂ１）が再設定される過程を示す。
【０１０１】
同図のように、Ｃ領域は臨時ファイルから永久データの方に転換されたため、図９Ａに図示された臨時記録領域（Ｂ）の格納領域は減少される。逆に、長期記録領域（Ａ）はＣ領域をさらに含むことになり格納領域が増加する。かかる領域変更はＦＡＴ領域に記録され、データ管理部２５９はこのような領域変更の情報に基づいてＣ領域の分長期記録領域（Ａ）を減少させ、これを臨時記録領域（Ｂ）に再設定する。これによって、臨時ファイルが永久データの方に転換されてもハードディスクドライブ２５０に既設定された領域のサイズにはその変化が生じない。
【０１０２】
図１０は本発明に係る、映像記録/再生装置で発生する臨時ファイルの格納方法の好ましい一実施形態の順序図である。
【０１０３】
まず、チューナー２２１から受信される放送信号をＭＰＥＧフォーマットで符号化し、これをハードディスクドライブ２５０の臨時記録領域（Ｂ１）に格納する（Ｓ１２１０）。この際にハードディスクドライブ２５０に格納される映像/音響信号はメーン制御部２７０、ビデオエンコーダー２３７、及びオーディオＤ/Ａ変換部２３５を介してＴＶ１００で再生される。つまり、視聴者が視聴している放送プログラムに対応する映像/音響信号がＴＶ１００で再生される。これによってハードディスクドライブ２５０はＦＩＦＯ方式に応じて新たに印加される映像/音響信号で限られた空間（例えば、１０Gバイト）にて続いて臨時記録領域（Ｂ１）を充足させる。ここで、遠隔制御器３００に備えられる臨時領域転換キー（図示せず）が押されると（Ｓ１２２０）、臨時記録領域（Ｂ１）に格納された映像/音響信号の最初の部分から再生される（Ｓ１２３０）。このとき、臨時記録領域（Ｂ１）に格納された映像/音響信号を再生する際、臨時記録領域（Ｂ１）にはＭＰＥＧエンコーダー２４１から印加される映像/音響信号が続いて記録される。尚、臨時領域転換キー（図示せず）が押されなければ、ＭＰＥＧエンコーダー２４１から印加される映像/音響信号はメーン制御部２７０とビデオエンコーダー２３７及びオーディオＡ/Ｄ変換部２３５を介してＴＶ１００に再生される（Ｓ１２４０）。
【０１０４】
次に、臨時記録領域（Ｂ１）に格納された映像/音響信号がＴＶ１００に再生中の状態で方向キー３１３、３１５、３１７、３１９を押すと（Ｓ１２５０）、方向キー３１３、３１５、３１７、３１９により臨時記録領域（Ｂ１）にて再生中の映像/音響信号の再生位置が変更される（Ｓ１２６０）。方向キー３１３、３１５、３１７、３１９のうちＲＥＷ方向キー
【０１０５】
【数１】
2004215282.tif 000003
が押されると再生中の位置から以前方向に変更され、方向キー３１３、３１５、３１７、３１９のうちＦＦ
【０１０６】
【数２】
2004215282.tif 000004
が押されると再生中の位置から次の方向に再生位置が変更される。これによって、視聴者は方向キー３１３、３１５、３１７、３１９を押して自身が記録しようとする位置を探索する。
【０１０７】
次に、方向キー３１３、３１５、３１７、３１９を用いて希望する位置を選択すると、遠隔制御器３００に備えられるレコードキー３２５を押す（Ｓ１２７０）。レコードキーが押された位置から臨時記録領域（Ｂ１）に格納された映像/音響信号は永久ファイルとして転換される（Ｓ１２８０）。つまり、レコードキー３２５によって選択された地点は長期記録領域（Ａ）の開始点となる。ここで、データ管理部２５９は、ＦＡＴ情報読み出し部２５９―１と設定値格納部２５９―２からそれぞれ印加されるＦＡＴ情報と領域に対するサイズ情報に基づいてハードディスクドライブ２５０の臨時記録領域（Ｂ１）と長期記録領域（Ａ）に対するアドレスを再設定し、これをメーン制御部２７０に印加する。メーン制御部２７０は、領域設定部２５０―３から印加されるアドレス情報を参照して臨時ファイルとファイルデータが格納されるべき位置を認知する。従って、臨時記録領域（Ｂ１）に格納されていた臨時映像/音響信号がファイルとして永久格納されるとしても臨時記録領域（Ｂ１）の格納空間は減少されない。さらに、視聴者は視聴中の放送信号を格納しようとする時、希望する位置からハードディスクドライブ２５０に格納できる。
【実施例３】
【０１０８】
本発明に係る第３の目的を具現するために、以下ではハードディスクドライブを複数のサイズを有するクラスターに区分し、ファイルの種類に応じて適切のクラスターに記録できる映像記録/再生装置及びその制御方法を添付の図２及び図１１ないし図１３Ｂを参照して詳説する。
【０１０９】
本発明によれば、ハードディスクドライブ２５０の格納空間は、データ記録領域及びユーザ記録領域とに区分される。データ記録領域は、動画データが記録される領域であり、データ属性情報領域を含む。データ属性情報領域は、データの記録日付、ファイル容量、拡張子などの属性情報が記録される領域である。メーン制御部２７０は、ハードディスクドライブ２５０にデータが記録されるときにデータその自体内に含まれるデータ属性情報を検索してデータ属性情報領域に記録する。
【０１１０】
ユーザ記録領域は、動画データについてユーザにより編集された付加情報が記録される領域である。ユーザ記録領域に記録される情報は、例えば、データ名、ディレクトリなどが挙げられる。
【０１１１】
図１１は、図２の映像記録/再生装置でデータ管理部２５９を概略的に図示したブロック図である。データ他管理部２５９は、クラスター形成部２５９―４、拡張子検索部２５９―５、クラスター選び部２５９―６、及びファイル記録部２５９―７を備える。これらの動作はメーン制御部２７０により制御され、以下については後述する。
【０１１２】
ハードディスクドライブ２５０をフォーマットしようとする場合、ハードディスクドライブ２５０を種々のサイズのクラスターに分割できる補助画面がメーン制御部２７０の制御の下でＴＶ１００にディスプレイされる。即ち、補助画面はフラッシューメモリ２７７内のメニュー案内処理部２７７ａによって本発明と関連したクラスターのサイズを選択するようにディスプレイされ、これはメーン制御部２７０からの制御による。
【０１１３】
図１２Ａは、前述した補助画面４１０の一例を図示したものである。同図のように、ハードディスクドライブ２５０をフォーマットする時、各クラスターのサイズを選択できる補助画面をディスプレイし、ユーザがキー操作を行なって容易にフォーマット形態を選択できるようにする。画面のように、ユーザが選択カーソル４１０―１を移動させ１番を選択するとＭＰＥＧ関連の動画は４０時間録画できる容量を割り振る。また、ＭＰ３関連のファイルは２５０個の格納できる容量を、Picture関連ファイルは１００００個の格納できるようにハードディスクドライブを分割してフォーマットするよう選択される。
【０１１４】
クラスター形成部２５９―４は、ハードディスクドライブ２５０をフォーマットする場合にサイズの相異なるクラスターを形成させる。ＴＶ１００の補助画面で決められたハードディスクドライブの分割オプションに応じてそれぞれのサイズ別にクラスターが形成される。ここで、ＭＰＥＧを格納するクラスターは、一般のクラスターではなく複数個の一般のクラスターから構成された、容量の大きいスーパークラスターからなり、ＭＰ３とPicture関連のクラスターは一般のクラスターに割当てフォーマットを進行する（図１２Ｃ参照）。
【０１１５】
クラスター形成部２５９―４によって形成されたクラスターの配置は、図１２Ｃの通りである。同図は本発明によって形成されたクラスターの配置を図示したものであり、クラスターはサイズ別にいくつかのステップに形成され、各ステップのサイズごとに複数個のクラスターが形成され得る。さらに、格納されるデータ（ファイル）の格納位置を分類するために、つまり、決まった領域に記録させるため次の表１のような拡張子分類表を格納している。
【０１１６】
【表１】
2004215282.tif 000005
表１のように、「*.mpg」、「*.dat」などのような拡張子名を有するファイルは全て動画ファイルとして規定し、スーパークラスターでフォーマットされた動画領域に格納する。「*.jpg」、「*.tif」などのような拡張子名を有するファイルは全て停止画ファイルとして規定し、一般のクラスターでフォーマットされた停止画領域に格納する。さらに、拡張子の種類が「*.mp３」、「*.ac３」などのようなファイルは全てサウンドファイルとして規定し、サウンド領域に格納する。
【０１１７】
図１３Ａはクラスターを分割してフォーマットする方法を説明するためのフローチャートであり、図１３Ｂは分割されたクラスターにファイルを格納する方法を説明するためのフローチャートである。図面を参照しながら詳説する。
【０１１８】
ハードディスクドライブ２５０をフォーマットしようとすると（Ｓ１３１１）、メーン制御部２７０はハードディスクドライブ２５０の分割方式を選択できる補助画面をＴＶ１００に表示するように制御する（Ｓ１３１２）。前記補助画面からユーザが特定のハードディスクドライブ分割方式を選択すると（Ｓ１３１３）、メーン制御部２７０からの制御に応じてクラスター形成部２５９―４は選択された特定のサイズ別にハードディスクドライブ２５０をサイズの異なる複数のクラスターで形成させる（Ｓ１３１４、１３１５）。例えば、図１２Ａのように、１番で指定された分割方式を選択すると、ＭＰＥＧ関連の動画は４０時間録画のできる容量が割り当てられ、ＭＰ３関連ファイルは２５０個の格納できる容量が、Picture関連ファイルは１００００個の格納できるハードディスクドライブ２５０を分割してフォーマットするように選択されるのである。さらに、ＭＰＥＧの格納できるクラスターは一般のクラスターではなく、複数個の一般のクラスターから構成された容量の大きいスーパークラスターからなり、ＭＰ３とPicture関連のクラスターは一般のクラスターに割り当ててフォーマットすることが好ましい。また、前記フォーマットを進行する前に、最終的にユーザがフォーマットするか否かを確かめる画面４１１（図１２Ｂ参照）を出力してミスで記録されたデータを消してしまう場合が生じないようにすることが好ましい（Ｓ１３１６）。即ち、図１２Ｂのように、フォーマットを進行するかを確かめる画面４１１がメーン制御部２７０の制御の下でＴＶ１００に表示され（Ｓ１３１７）、ユーザがキー入力部２６０や受光部２８０を介してフォーマットの進行を決めれば、当該のクラスターにハードディスクドライブ２５０を分割してフォーマットを実行する（Ｓ１３１８）。この際、前記フォーマットを進行するかについて確かめる画面においては、ユーザが明らかな自分の意志でフォーマットを進行することができるように、選択カーソル４１０―１がＮＯ窓にデフォルトで位置するように表示してユーザがフォーマットを望む場合、キー入力部２６０や受光部２８０を介して選択カーソル４１０―１をＹＥＳに移動され得るようにすることが好ましい。
【０１１９】
前述のように、フォーマットされたハードディスクドライブ２５０にファイルを格納する場合には（Ｓ１３２１）、図１３Ｂのようにメーン制御部２７０からの制御の下で拡張子検索部２５９―５は記録するためのファイル自体に含まれている属性情報からファイルの拡張子情報を検索する（Ｓ１３２２）。
【０１２０】
拡張子検索部２５９―５により記録されるべきファイルの拡張子情報が検索されれば、クラスター選び部２５９―６はメーン制御部２７０の制御の下で検索されたファイルの拡張子情報をクラスター形成部２５９―４に格納されている拡張子分類表と比べて一致する拡張子が属するクラスターを検索し、ファイル記録部２５９―７はメーン制御部２７０からの制御の下で拡張子検索部２５９―５によって検索された適したサイズのクラスターにファイルを記録する（Ｓ１３２３、１３２４）。
【０１２１】
以上のようにファイル記録部２５９―７は、クラスター選び部２５９―６により同一の拡張子を有するクラスターにファイルを記録することによって、ハードディスクドライブ２５０の空間を最適化させ得る。容量の大きな動画ファイルはスーパークラスターに格納して少ない数のクラスターでデータを格納することと同時に、容量の少ない停止画ファイルとサウンドファイルとは、一般のクラスターに格納することにより、容量の大きいクラスターを使うことで生じられるメモリの損失を抑えることができる。
【実施例４】
【０１２２】
本発明に係る第４の目的を具現するために、以下ではハードディスクドライブに記録されたデータの編集機能をメニューガイドリストを用いて制御する映像/再生装置及びその制御方法につき、添付された図１、図２、図１４ないし図１８を参照して詳説する。特に、ＴＶ１００にメニューガイドリストを表示し、これを用いて記録された映像信号データを編集することにつきメニューガイドリスト画面処理と関連づけて詳説する。
【０１２３】
本実施形態にては、クラスター形成部を含むデータ管理部がハードディスクドライブ２５０をフォーマットする場合にサイズの異なる複数のクラスターを形成させる。またクラスターをサイズ別にいくつの段階を形成し、各段階のサイズごとに複数のクラスターが形成され得る。ファイルの記録時に記録されるファイルの容量に応じて適したクラスターを検索し、適したサイズのクラスターにファイルを記録する。
【０１２４】
先ず、メニューガイドリスト画面の一実施形態が図１４に図示されている。同図を参照すると、メニューガイドリスト画面４５０にはメーンメニューが表示される。
【０１２５】
メーンメニューには、ハードディスクドライブ２５０に格納されたデータの管理のためのデジタルレコーダーメニュー、記録媒体ローディング部２５７に格納されたプログラムの制御のためのＤＶＤプレーヤーメニューがあり、その他に「Juke  Box」メニュー、「Photo  Album」メニュー「Set  Up」メニューなどが含まれている。
【０１２６】
ハードディスクドライブ２５０に格納されたプログラムの管理のためにメーンメニューのうちデジタルレコーダーメニューを選択すると、デジタルレコーダーメニューに属するサブメニューが垂直状に列を作って配されるようにメーンメニューと共に表示される。サブメニューには、プログラムリストメニュー、視聴制限のメニュー（Parent  lock）、編集メニュー、及びレコーディングメニューがある。
【０１２７】
画面の下端領域にはメニューガイドリスト画面４５０の利用に対応される遠隔制御器３００のキー操作利用情報が表示される。
【０１２８】
サブメニューのうち、ハードディスクドライブ２５０に格納されたプログラムの編集のために編集メニュー４２０―１を選択すると、メーン制御部２７０は図１４に図示されたような大２のサブメニューがメニューガイドリスト画面内に表示されるよう処理する。ハードディスクドライブ２５０に格納されたプログラムの編集のための第２のサブメニューには結合メニュー（combine）、分割メニュー（divide）、削除メニュー（delete）、または部分削除メニュー（partial  delete）が含まれる。
【０１２９】
編集メニュー４２０―１のサブメニューのうち、結合メニュー４２０―２と、分割メニュー４２０―３につき図１５及び図１６を参照して詳説する。図１４に図示された編集メニュー４２０―１の従属メニューである結合メニュー４２０―２は、ハードディスクドライブ２５０に記録されたプログラムの相互間をユーザが結合する作業が行われるように支援する。結合メニュー４２０―２が選択されれば、メーン制御部２７０は図１５のような後続画面を提供し、メーン制御部２７０は図１５の図示されたような後続画面を提供し、メーン制御部２７０は中端領域の上部にはプログラムリストキー選択時に閲覧されるプログラム案内情報のうち、順番に応じて表示可能個数に該当する停止画を抜粋してリストアップして表示し、上部に表示された画面のうちユーザが結合しようと選択された画面は中端領域の下部に備えられた結合窓に表示処理する。その後、実行メニュー（Execute）が選択されれば、メーン制御部２７０は選択されたプログラム、つまり、結合窓に表示された画面に対応されるプログラム間を結合して新たなファイルで記録処理する。
【０１３０】
分割メニュー４２０―３は、ハードディスクドライブ２５０に１つのファイル単位で記録されたプログラムを多数に分割することを支援する。分割メニュー４２０―３が選択されれば、図１６のように中端領域の上部にはハードディスクドライブ２５０に記録されたプログラムに対応される停止画が表示され、選択された停止画について全体の長さを表示するバー（bar）型グラフ及びバー型グラフについてユーザが遠隔制御器３００を操作して選択された区間に対して分割処理を行なう。
【０１３１】
前述のような編集メニューを実行するためにはハードディスクドライブ２５０上において所定の容量が必要である。
【０１３２】
かかる編集機能を備えた映像記録/再生装置の大容量ハードディスクドライブ２５０に記録されたデータの構造は図１６の通りである。同図を参照すると、映像記録/再生装置２００の大容量ハードディスクドライブであるハードディスクドライブ２５０のデータ記録領域はmp３、jpegファイル格納領域（ａ）、time  shift領域（ｂ）、mpegファイル格納領域（ｃ）を含む。
【０１３３】
本発明に係るmpegファイル格納領域（ｃ）では隠しバッファ領域（ｄ）が設定される。つまり、ハードディスクドライブ２５０のフォーマットを行なうとき形成されるクラスターのうちmpegファイル格納領域（ｃ）の所定クラスターが隠しバッファで設定され、ファイル記録時には検索対象クラスターから除外される。
【０１３４】
隠しバッファ領域（ｄ）は、ハードディスクドライブ２５０のmpegファイル格納領域（ｃ）で記録されたデータを編集し、編集されたデータを記録するための必要とされる領域である。
【０１３５】
以下では、本発明の実施形態に係るハードディスクドライブの制御方法につき図１８のフローチャート及び図１４ないし図１７を参照して詳説する。
【０１３６】
ユーザが録画選択信号を入力したり予約録画機能により受信される動画データのレコーディングが開始される。記録されるデータはＭＰＥＧエンコーダー２４１から符号化されてハードディスクドライブ２５０のmpegファイル格納領域（ｃ）に記録される。ＭＰＥＧ―２圧縮方式によってデータをＭＰＥＧファイルに符号化することが好ましい。
【０１３７】
ハードディスクドライブ２５０のmpegファイル格納領域（ｃ）で隠しバッファ領域（ｄ）を設定する（Ｓ１４１０）。レコーディングが開始されるとメーン制御部２７０はスーパークラスターをチェックし、使用されずに残っているクラスター数をカウントする（Ｓ１４２０、１４３０）。データの編集のために必要な領域は、隠しバッファーで設定されているためハードディスクドライブ２５０のmpeg格納領域にて隠しバッファ領域に該当するクラスターが除外された領域の使用されなかったクラスター数がチェックされる。
【０１３８】
チェックの結果、隠しバッファ領域を除いた残ったクラスター数が０であるかを判断する（Ｓ１４４０）。前記判断ステップ（Ｓ１４４０）で使用されず残っているクラスター数が０でないと判断されれば、残っているクラスターにレコーディングを行ない（Ｓ１４５０）、前記チェックステップ（Ｓ１４３０）へリターンする。そして、前記判断ステップ（Ｓ１４４０）にて隠しバッファ領域を除いて残っているクラスター数が０であると判断されれば記録を中断し（Ｓ１４６０）、ＴＶ画面にハードディスクドライブ２５０の格納容量が超過されたというメッセージをディスプレイする（Ｓ１４７０）。
【０１３９】
このようなステップを介して格納されたプログラムの編集のために結合メニュー、分割メニュー、削除メニューなどの編集機能を行なう時には前記設定された隠しバッファ領域（ｄ）のクラスターを用いて編集を行なう。分割メニュー機能を行なう時に最も多いクラスターが必要とされるため、これを基準にバッファの容量を決定する。従って、大容量のハードディスクドライブ２５０に動画データを記録する時、プログラムの編集のための領域を除いた残りの領域に動画データを格納するので編集のために必要なハードディスクドライブの容量が不足することにより格納されたデータの編集が不可能になるのを抑えることができる。
【実施例５】
【０１４０】
本発明に係る第５の目的を具現するために、以下ではハードディスクドライブの初期化遅延時にシステムのブーティングエラーが生じるのを抑えることのできる映像記録/再生装置及びその制御方法につき図２及び図１９を参照して詳説する。
【０１４１】
図２を参照すると、誤動作検出部２４５を介してハードディスクドライブ２５０のエラー動作が生じたと判断すると、メーン制御部２７０は映像記録/再生装置へ電源を供給する電源供給部２９３を制御し、記録媒体ローディング部２５７及びハードディスクドライブ２５０を含んだ映像記録/再生装置を再び駆動するように電源制御部２９１を制御する。これによって、電源制御部２９１は、メーン制御部２７０から伝送されたシステムの再駆動命令に応じて電源供給部２９３を制御して電源を遮断した後再び供給させる。
【０１４２】
このように構成された映像記録/再生装置の初期化過程は次の通りである。
【０１４３】
つまり、電源が入力されシステムがパワーオンされれば、装置の各構成部分に電源が印加される順番で自動初期化がなされる。ハードディスクドライブ２５０に電源が印加されればハードディスクドライブのセルフ初期化モードが行われる。
【０１４４】
ハードディスクドライブ２５０のパワーオンレディー（power  on  ready）過程は、パーキングされたヘッドをアンラッチ（unlatch）させてディスク面の最も外側に配した所にヘッドを位置させた後、キャリブレーション（calibration）を行なう。キャリブレーションが行われた後にハードディスクドライブ２５０はドライブレディーモードに転換される。
【０１４５】
ハードディスクドライブ２５０がパワーオンされれば、ラッチからアクチュエーターが分離される。ところが、設定された位置にアクチュエーター配していない時、あるいはドライブ内に問題がある時にはハードディスクドライブ２５０のセルフ初期化が遅延される。
【０１４６】
即ち、セルフ初期化モードが行われる途中にはビジーモード（busy  mode）であってハードディスクドライブ２５０は通信不可能になる。非常的な動作やアクチュエーター位置のエラーが生じた時には、ハードディスクドライブ２５０にパワーが印加されても初期化が終了されずビジーモードがクリアされない。
【０１４７】
本発明に係るメーン制御部２７０は、ハードディスクドライブ２５０のセルフ初期化モードが行なわれている途中に初期化が完了されたかをチェックする。メーン制御部２７０のチェック結果、設定回数以上が失敗（failure）であると確認されれば前記電源制御部２９１に制御信号を出力してハードディスクドライブ２５０に印加される電源を遮断する。
【０１４８】
そして、システムをリセット（reset）しシステムを再びパワーオンさせ、システム自動初期化を行なう。ハードディスクドライブ２５０のセルフ初期化においても再び始動される。このことにより、ハードディスクドライブのセルフ初期化モードを行なうのに時間が遅延されてシステムの待機中にブーティングエラーが生じることを抑えることができる。
【０１４９】
図１９は、図２に図示された映像記録/再生装置の初期化方法を図示したフローチャートである。同図を参照して本発明に係る映像記録/再生装置の初期化方法をより詳しく説明する。
【０１５０】
まず、システムがパワーオンされれば（Ｓ１５１０）、システムの自動初期化が行われる（Ｓ１５２０）。電源が印加される順番でシステムの各構成が初期化される。ハードディスクドライブ２５０に電源が入力されれば（Ｓ１５３０）、ハードディスクドライブ２５０はセルフ初期化モードを行なう（Ｓ１５４０）。ハードディスクドライブ２５０のセルフ初期化モードを行なっている途中に初期化が完了されたかをチェックする（Ｓ１５５０）。Ｓ１５５０において設定回数以上が失敗であると、メーン制御部２７０の制御信号に応じて電源制御部２９１はハードディスクドライブ２５０に印加される電源が遮断されるように電源供給部２９３を制御する（Ｓ１５６０）。そして、メーン制御部２７０はシステムをリセットしシステムを再びパワーオンさせる。よって、ハードディスクドライブ２５０の初期化が遅延される場合、自動でシステムをリセットさせてシステムの待機中にブーティングエラーが生じることを抑えることができる。
【実施例６】
【０１５１】
本発明に係る第６の目的を具現するために、以下では記録媒体に記録された映像/音響信号をハードディスクドライブに記録する際、再生時に検出されたＴＶ放送方式に合せて映像/音響信号をハードディスクドライブに記録することができる映像記録/再生装置につき図１、図２、図５及び図２０を参照して詳説する。
【０１５２】
図２０は、本発明に係る映像記録/再生装置によって記録媒体に格納された映像/音響信号のＴＶ放送方式が検出され、ハードディスクドライブを格納する時に検出されたＴＶ方式が適用される過程を説明するためのフローチャートである。
【０１５３】
まず、ユーザは映像/音響信号が記録されたＤＶＤのような記録媒体を記録媒体ローディング部２５７に装着する（Ｓ１６１０）。
【０１５４】
そして、キー入力部２６０または遠隔制御器３００を介してＤＶＤモード/ハードディスクドライブモード転換命令を入力して映像記録/再生装置２００をＤＶＤモードに転換させる。そして、キー入力部２６０または遠隔制御器３００を介して再生命令を入力する（Ｓ１６２０）。これを介してメーン制御部２７０はラインビデオ/オーディオ出力端子２１６と連結されたＴＶ１００の方に映像/音響信号を出力する。この際、メーン制御部２７０からの制御に応じてＤＶＤからローディングされた映像/音響信号はＭＰＥＧデコーダー２７３を介して復号される。
【０１５５】
さらに、ビデオエンコーダー２３７を介して符号化され、符号化される時にローディングされた映像/音響信号がいずれのＴＶ放送方式であるかを検出し、これに応じて符号化過程を行なう（Ｓ１６３０）。
【０１５６】
さらに、メーン制御部２７０はこれに対するＴＶ放送方式の情報をビデオデコーダー２３１内のレジスタ（図示せず）に格納する（Ｓ１６４０）。
【０１５７】
そして、ユーザによりＤＶＤに格納された映像/音響信号について記録するためにレコードキー３２５が選択されれば、これに対応される記録命令がメーン制御部２７０に入力される（Ｓ１６５０）。
【０１５８】
メーン制御部２７０は、入力された記録命令に基づいてビデオエンコーダー２３７を制御しＤＶＤに記録された映像/音響信号が所定のＴＶ放送方式に基づいて符号化及び復号されるように制御する。これを詳説すると次の通りである。
【０１５９】
記録媒体ローディング部２５７に取付けられたＤＶＤの映像/音響信号はローディングされて第２のＳＤＲＡＭ２７６へ一時格納される。一時格納された映像/音響信号はメーン制御部２７０からの制御に応じてＭＰＥＧデコーダー２７３で設定された圧縮フォーマット方式に応じて復号され、メーン制御部２７０からの制御に応じてビデオエンコーダー２３７に出力される。ビデオエンコーダー２３７は入力された映像/音響信号を符号化し、この時にはビデオＤＶＤに記録されたＴＶ放送方式に応じて符号化する。そして、符号化された映像/音響信号はスイッチング部２２３に入力され、スイッチング部２２３では入出力制御部２２５の制御に基づいて出力端の方に出力するか、あるいはビデオデコーダー２３１に出力するかを決める。ＤＶＤでハードディスクドライブ２５０に映像データを記録する場合において、入出力制御部２２５はスイッチング部２２３を制御してビデオデコーダー１３１に映像/音響信号が出力されるように制御し、これに応じて符号化された映像/音響信号はビデオデコーダー２３１に出力される。ビデオデコーダー２３１は、レジスタに格納された所定のＴＶ放送方式の設定値に基づいて符号化された映像/音響信号を復号する（Ｓ１６６０）。
【０１６０】
そして、復号された映像/音響信号は、ＭＰＥＧエンコーダー２４１に出力される。ＭＰＥＧエンコーダー２４１では入力された映像/音響信号を設定された圧縮フォーマット方式に応じて符号化しハードディスクドライブ２５０に格納する（Ｓ１６７０）。
【実施例７】
【０１６１】
本発明に係る第７の目的を具現するために、以下では所定の映像/音響信号をハードディスクドライブに記録する途中、電源オフモードへの転換命令が入力された場合、臨時格納された映像/音響信号に対してフラッシュー機能を行なう映像記録/再生装置及びその制御方法につき図１、図２、図２１ないし図２３を参照して詳説する。
【０１６２】
図２１は、ハードディスクドライブ２５０に記録される動画ファイルであるプログラムファイルを説明するための概念図である。同図を参照して本発明に係るエラーファイルの自動削除機能につき詳説する。
【０１６３】
プログラムファイルはプログラムファイルがハードディスクドライブ２５０に記録される位置情報であるヘッダ２５０Ｂ―１と、プログラムファイルのファイル情報であるユーザデータ２５０Ｂ−２、及びＭＰＥＧエンコーダー２４１で符号化された映像データグループのＧＯＰ（Group  of  Picture）データ２５０Ａを有する。
【０１６４】
好ましくは、プログラムファイルの管理のためにハードディスクドライブ２５０ではヘッダ２５０Ｂ―１とユーザデータ２５０Ｂ−２を対応して備えられたユーザＤ/Ｂ２５０Ｂと、ＭＰＥＧ方式で符号化されたＧＯＰデータ２５０Ａとに分離されて記録される。
【０１６５】
ユーザＤ/Ｂ２５０Ｂはプログラムリスト画表示される時含まれる停止画情報を示すために停止画の位置情報（source）を含み、さらに、プログラムのタイトル、ファイル名、ファイルの再生長さ、プログラムが記録された年/月/日/時/分/秒に対するデータが含まれる。従って、プログラムリスト機能を行なう場合、ハードディスクドライブ２５０に記録されたユーザＤ/Ｂ２５０Ｂを用いてディスプレイ装置の画面上でプログラムリストを表示する（図２２参照）。
【０１６６】
以下、本発明に係るハードディスクドライブ２５０にて生成されたエラーファイルを削除する過程につき図２及び図２１を参照して説明する。
【０１６７】
例えば、記録データとして選ばれた所定のチャンネル放送信号がプログラムファイルとして、図２に図示されたハードディスクドライブ２５０に記録される過程は次の通りである。
【０１６８】
まず、所定のチャンネル放送信号を記録するための記録命令受光部２８０に入力されれば、メーン制御部２７０は入出力制御部２２５を制御してチューナー２２１から所定のチャンネル放送信号を選局する。スイッチング部２２３は、チューナー２２１から受信されるチャンネル放送信号を選択してビデオデコーダー２３１及びオーディオＡ/Ｄ変換部２３３からそれぞれ信号処理されＭＰＥＧエンコーダー２４１に入力される。ＭＰＥＧエンコーダー２４１は信号処理された放送信号を符号化してプログラムファイルのＧＯＰデータ２５０Ａを生成する。それと共に、チャンネル放送信号に対するタイトル、停止画位置情報に対する時間、長さ、ファイル名などのユーザデータ２５０Ｂ−２を生成する。この時、生成されたユーザデータ２５０Ｂ−２は第２のＳＤＲＡＭ２７６に臨時記録（temporary  buffer）される。
【０１６９】
その後、チャンネル放送信号に対する記録が完了されて受光部２８０から停止命令が入力されれば、メーン制御部２７０は第２のＳＤＲＡＭ２７６で臨時記録されたユーザデータ２５０Ｂ―２をハードディスクドライブ２５０にユーザＤ/Ｂ２５０Ｂとして構築して格納させる。よって、ハードディスクドライブ２５０にては所定の割当てられたアドレス２５０Ｂ―１にユーザデータが２５０Ｂ―２がユーザＤ/Ｂ２５０Ｂとして構築され、これに対応するＧＯＰデータ２５０Ａを有するプログラムファイルが記録される。
【０１７０】
しかし、記録が完了され停止命令が入力される前、つまり、静電などのように愚発的な状況に置かれて映像記録/再生装置の電源がオフ状になると、非常的なプログラムファイルであるエラーファイルがハードディスクドライブ２５０に記録される。このように生成されたエラーファイルは、第２のＳＤＤＲＡＭ２７６に臨時記録されたユーザデータ２５０Ｂ−２がハードディスクドライブ２５０に記録されない。
【０１７１】
エラー判断部２７５は、メーン制御部２７０からハードディスクドライブ２５０に記録されたプログラムファイルのユーザＤ/Ｂ２５０Ｂを読込む時、ユーザデータ２５０Ｂ―２が存するか否かをチェックしエラーファイルを判断する。メーン制御部２７０は、エラー判断部２７５で判断したエラーファイルを削除させるようにハードディスクドライブ２５０を制御する。
【０１７２】
ハードディスクドライブ２５０に記録されたエラーファイルを削除させる時点は、例えば、映像記録/再生装置に電源がオン/オフされる時点、あるいはハードディスクドライブ２５０に記録されたプログラムリストを表示する機能が行われる時点など、自動に削除されるようにする。
【０１７３】
以下、図２３を参照して本発明に係る映像記録/再生装置のエラーファイル自動削除方法をプログラムリスト機能が行われる過程で削除される方法ついて詳説する。
【０１７４】
ユーザ命令が入力される入力部の受光部２８０からプログラムリスト機能実行命令が入力されれば、メーン制御部２７０でハードディスクドライブ２５０に記録されたプログラムファイルのうちユーザＤ/Ｂ２５０Ｂを読込んでディスプレイ装置の画面上に図２２のようにプログラムリストをＥＰＧ（electronic  program  guide）状で画面上に表示させる。同図の参照番号４３１―１はそれぞれのプログラムファイルが有している所定の映像データに対する停止画であり、参照番号４３１―２はそれぞれのプログラムファイルに対するユーザデータのファイル情報である。
即ち、受光部２８０からプログラムリスト機能実行命令が入力される場合（Ｓ１７１０）、メーン制御部２７０はハードディスクドライブ２５０に記録されたプログラムファイルのユーザＤ/Ｂ２５０Ｂを読込む（Ｓ１７２０）。
【０１７５】
この際、エラー判断部２７５はメーン制御部２７０で読込んだプログラムファイルのユーザデータをチェックする（Ｓ１７３０）。
【０１７６】
その結果、現チェックしたプログラムファイルがユーザデータのないエラーファイルであれば（Ｓ１７４０）、メーン制御部２７０はエラーファイルを削除するようにハードディスクドライブ２５０を制御する（Ｓ１７５０）。
【０１７７】
尚、プログラムファイルがユーザデータの存する正常のプログラムファイルであれば、エラー判断部２７５はメーン制御部２７０にて読込んだ次のプログラムファイルをチェックする（Ｓ１７３０）。
【０１７８】
好ましくは、プログラムリスト機能が行われる場合にエラーファイルを削除する方法を例にあげて詳説したが、映像記録/再生装置の電源がオン/オフされる場合にエラーファイルを判断して自動に削除できるように設けることができる。
【０１７９】
以上では、本発明の好適な実施形態について図示し説明したが、本発明は、前述の特定の実施形態に限定されるものではなく、請求の範囲で請求する本発明の要旨を逸脱することなく当該発明の属する技術分野における通常の知識を有するものであれば誰でも各種の変形実施が可能であることはもとより、そのような変更は、請求の範囲記載の範囲内にあることが自明である。
【図面の簡単な説明】
【０１８０】
【図１】本発明の好ましい実施形態に係る映像記録/再生装置が適用されたシステムを概略的に示す図である。
【図２】図１に示された映像記録/再生装置の一実施形態を概略的に示したブロック図である。
【図３】図２に示されたハードディスクドライブの論理的な構造を概略的に示した図である。
【図４】図２に示されたハードディスクドライブのクラスターの配置を示した図である。
【図５】図１に示された遠隔制御器を示す平面図である。
【図６】図２に示された映像記録/再生装置の制御方法を説明するためのフローチャートである。
【図７】図２に示されたデータ管理部の一実施形態に係るブロック図である。
【図８】図２に示されたハードディスクドライブのファイル配置構造及び臨時ファイルの格納方法を説明するためのブロック概念図である。
【図９Ａ】データ管理部によって臨時記録領域（Ｂ）及び長期記録領域（Ａ）が再設定される過程を説明するためのブロック概念図である。
【図９Ｂ】データ管理部によって臨時記録領域（Ｂ）及び長期記録領域（Ａ）が再設定される過程を説明するためのブロック概念図である。
【図１０】本発明の一実施形態に係る映像記録/再生装置にて発生するファイルの格納方法を説明するためのフローチャートである。
【図１１】図２の映像記録/再生装置でデータ管理部の一実施形態を示したブロック図である。
【図１２Ａ】クラスターのサイズを選択するための補助画面の一例を図示した図である。
【図１２Ｂ】ハードディスクドライブのフォーマットを進行するかを選択するための補助画面である。
【図１２Ｃ】本発明によって形成されたハードディスクドライブのクラスター配置を示した図である。
【図１３Ａ】本発明の一実施形態によってクラスターを分割してフォーマットする方法を説明するためのフローチャートである。
【図１３Ｂ】本発明の一実施形態によって分割されたクラスターにファイルを格納する方法を説明するためのフローチャートである。
【図１４】初期案内メニュー画面で編集メニューが選択された時、後続して表示されるメニューガイドリストの画面である。
【図１５】図１４の結合メニューが選択される時、後続して表示される画面である。
【図１６】図１４の分割メニューが選択される時、後続して表示される画面である。
【図１７】図２のハードディスクドライブに格納されたプログラム情報の構造を示すブロック図である。
【図１８】本発明に係る映像記録/再生装置のハードディスクドライブの制御方法を説明するためのフローチャートである。
【図１９】図２に示された映像記録/再生装置の初期化方法を説明するためのフローチャートである。
【図２０】本発明に係る映像記録/再生装置によって記録媒体に格納された映像/音響信号のＴＶ放送方式が検出され、ハードディスクドライブを格納する時に検出されたＴＶ方式が適用される過程を説明するためのフローチャートである。
【図２１】ハードディスクドライブに記録される動画ファイルであるプログラムファイルを説明するための概念図である。
【図２２】プログラムリスト機能が行われる場合に表示される画面を示した図である。
【図２３】本発明に係る映像記録/再生装置のエラーファイルの自動削除方法を説明するためのフローチャートである。
【符号の説明】
【０１８１】
２１０  入出力端子部
２２１  チューナー
２２３  スイッチング部
２２５  入出力制御部
２４１  ＭＰＥＧエンコーダー
２５０  ハードディスクドライブ
２５７  記録媒体ローディング部
２７０  メーン制御部
【図１】
2004215282.tif 000006
【図２】
2004215282.tif 000007
【図３】
2004215282.tif 000008
【図４】
2004215282.tif 000009
【図５】
2004215282.tif 000010
【図６】
2004215282.tif 000011
【図７】
2004215282.tif 000012
【図８】
2004215282.tif 000013
【図９Ａ】
2004215282.tif 000014
【図９Ｂ】
2004215282.tif 000015
【図１０】
2004215282.tif 000016
【図１１】
2004215282.tif 000017
【図１２Ａ】
2004215282.tif 000018
【図１２Ｂ】
2004215282.tif 000019
【図１２Ｃ】
2004215282.tif 000020
【図１３Ａ】
2004215282.tif 000021
【図１３Ｂ】
2004215282.tif 000022
【図１４】
2004215282.tif 000023
【図１５】
2004215282.tif 000024
【図１６】
2004215282.tif 000025
【図１７】
2004215282.tif 000026
【図１８】
2004215282.tif 000027
【図１９】
2004215282.tif 000028
【図２０】
2004215282.tif 000029
【図２１】
2004215282.tif 000030
【図２２】
2004215282.tif 000031
【図２３】
2004215282.tif 000032